(57)【要約】【課題】設置時に広い開口部を必要とせず、狭隘で水深が浅い場所でも表面の排水が可能な、浮上油回収装置を提供する。【解決手段】  排水槽Ｔの水面の浮上油回収装置１は、主に桶状の回収容器２と、回収容器２に接続されて、回収容器２内の油を回収する排水ポンプ３と、排水ポンプ３に設置された排水ホース４と、排水ポンプ３を上下動させる昇降手段５を備え、昇降手段５は、排水ポンプの上下動を制御する制御装置５５を有し、排水ポンプ３は、水位に応じて制御装置５５を作動させるフロートスイッチ５６Ａ、５６Ｂ、５６Ｃを有する。  排水槽Ｔの水面の浮上油Ｏまたは排水Ｗは、回収容器２の外縁部から回収容器２内に流入し、排水ポンプ３は、回収容器内に流入した浮上油Ｏまたは排水Ｗを回収する。また、排水槽Ｔ内または回収容器２内の水位の変化に応じて、フロートスイッチ５６Ａ、５６Ｂ、５６Ｃが切替り、排水ポンプ３が適正な位置に移動する。【選択図】  図１
2016128153.tif 000002
【特許請求の範囲】
【請求項１】
排水槽の水面の浮上油回収装置であって、
底面と側壁と開口を有する桶状の形状で、排水槽の水面の変位に伴って上下動する回収容器と、
前記回収容器の前記開口を介して前記底面に接続されて、前記回収容器とともに上下動して、前記回収容器内の油を回収する排水ポンプと、
前記排水ポンプに接続され、前記排水ポンプとともに上下動する排水ホースと、
前記排水槽内または回収容器内の水位に応じて前記排水ポンプを上下動させる昇降手段と、を備え、
前記昇降手段は、排水ポンプの上下動を制御する制御装置を有し、
前記排水槽の水面の油または水は、前記回収容器の外縁部から前記回収容器内に流入し、前記排水ポンプによって回収される、
ことを特徴とする。
【請求項２】
前記制御装置と接続されて、前記制御装置を作動させるスイッチと、前記制御装置と前記スイッチを接続する回路と、備え、前記スイッチは、前記排水槽内の水位に応じてオンとオフが切り替わり、オン時またはオフ時には、前記回路を通じて前記制御装置を操作し、オン時には前記制御装置を作動して、前記回収容器、前記排水ポンプ、及び前記排水ホースを上下動させる、
ことを特徴とする請求項１記載の浮上油回収装置。
【請求項３】
前記昇降手段は、前記排水ポンプの上限位置確認手段を備え、前記上限位置確認手段は、前記排水ポンプが上限位置に位置することを確認したときには、前記制御手段により前記昇降手段を停止させる、
ことを特徴とする請求項１、または２記載の浮上油回収装置。
【発明の詳細な説明】
【技術分野】
【０００１】
この発明は、発電所の排水槽に流れ込んで水面に浮上した油を除去するための、浮上油回収装置に関する。
【背景技術】
【０００２】
水力発電所においては、発電機の軸受けの冷却や、機器の操作用に多量の潤滑油が使用されている。この場合、少量の漏油は、常時発生しており、これが排水に混入して発電所の排水槽に流れ込んでいる。通常、発電所からの排水は付近の河川や海に排出されるが、漏油が混入した排水をそのまま河川等に排出することは、周辺の自然環境を害し、公害を引き起こす原因となるので、排出前にできる限り油を排水から除去することが重要である。
【０００３】
漏油の除去方法としては、通常は、ベルト式漏油回収装置により表面に浮上した油を回収することができるが、この方法では、油の量が多くなると回収が困難となる。その場合には、排水面に浮上している油を、真空排水ポンプ等で吸い上げるか、排水槽の水を全て回収していた。これは、基本的に作業者が状況を確認しながら実施する必要があり、効率面や客観性・正確性の点で問題があった。この問題を解決する手段として、排水ポンプの吸水口にフロートを取り付けて、これを水面に浮かべ、浮上している油等の異物を吸い取る技術が存在する（例えば、特許文献１、２、３参照）。
【先行技術文献】
【特許文献】
【０００４】
【特許文献１】特開２００６−１４２２６４号公報
【特許文献２】特開平０８−１７７０３７号公報
【特許文献３】特開平０５−２１４７２２号公報
【発明の概要】
【発明が解決しようとする課題】
【０００５】
しかしながら、特許文献１、２、３の回収装置等は、何れも水面に回収装置を浮上させ、なおかつ効率よく排水するために，喫水面を安定させるだけのフロートをつける必要があるため、自然と回収装置が大きくなってしまう。そのため、この回収装置を設置するためには，これを浮遊させたり設置させたりするために、相応の広さの開口部が必要であり、狭い箇所への設置ができなかった。
【０００６】
そこで、この発明は、設置時に広い開口部を必要とせず、狭隘で水深が浅い場所でも排水の表面の油を除去や回収が可能な、浮上油回収装置を提供することを目的とする。
【課題を解決するための手段】
【０００７】
上記課題を解決するために、請求項１に記載の発明は、排水槽の水面の浮上油回収装置であって、底面と側壁と開口を有する桶状の形状で、排水槽の水面の変位に伴って上下動する回収容器と、前記回収容器の開口を介して底面に接続されて、前記回収容器とともに上下動して、前記回収容器内の油を回収する排水ポンプと、前記排水ポンプに接続され、前記排水ポンプとともに上下動する排水ホースと、前記排水槽内または回収容器内の水位に応じて前記排水ポンプを上下動させる昇降手段と、を備え、前記昇降手段は、排水ポンプの上下動を制御する制御装置を有し、前記排水槽の水面の油または水は、前記回収容器の外縁部から前記回収容器内に流入し、前記排水ポンプによって回収される、ことを特徴とする。
【０００８】
この発明によれば、水面の変位に応じて、制御装置が昇降手段を制御することで、回収容器と排水ポンプと排水ホースが一緒に上下移動して、回収容器内に油または水が流入し、排水ポンプがそれを回収する。
【０００９】
請求項２に記載の発明は、請求項１記載の浮上油回収装置であって、前記制御装置と接続されて、前記制御装置を作動させるスイッチと、前記制御装置と前記スイッチを接続する回路と、備え、前記スイッチは、前記排水槽内の水位に応じてオンとオフが切り替わり、オン時またはオフ時には、前記回路を通じて前記制御装置を操作し、オン時には前記制御装置を作動して、前記回収容器、前記排水ポンプ、及び前記排水ホースを上下動させる、ことを特徴とする。
【００１０】
この発明によれば、排水槽内の水位に基づいて、スイッチのオンとオフが切り替わり、オン時には回路を通じて制御装置を作動させ、昇降手段を制御して、回収容器、排水ポンプ、及び排水ホースを上下動させる。
【００１１】
請求項３記載の発明は、請求項１、または２記載の浮上油回収装置であって、前記昇降手段は、前記排水ポンプの上限位置確認手段を備え、前記上限位置確認手段は、前記排水ポンプが上限位置に位置することを確認したときには、前記制御手段により前記昇降手段を停止させる、ことを特徴とする。
【００１２】
この発明によれば、排水槽内の水位が上昇して、排水ポンプが上限にまで上昇した場合には、上限位置確認手段は、制御手段を通じて昇降手段を停止させる。
【発明の効果】
【００１３】
請求項１の発明によれば、排水とともに流入した排水槽の水面の浮上油は、回収容器の外縁部から回収容器内に流入し、排水ポンプによって回収されて、排水ホースによって、排水槽外へ排水として排出されるので、狭い場所であっても設置することができる。
【００１４】
また、排水槽の水深が浅い場所であっても、排水槽の水面の浮上油を回収することができる。このとき、発電所の運転を継続した状態であっても、浮上油を回収することができる。
【００１５】
さらに、従来のように、ベルト式回収装置を使用したり、表面に浮遊する油を排水ポンプなどによって手動で吸い上げたりする必要がないので、浮上油回収装置を小型化、低コスト化することができるとともに、メンテナンスが容易となる。
【００１６】
請求項２の発明によれば、スイッチは、排水槽の水位の変化に応じてオン・オフが切り替わり、それにより排水ポンプの位置や運転が制御されるので、浮上油回収装置の運転の自動化が可能となる。
【００１７】
請求項３の発明によれば、排水槽内の水位が大きく上昇して、排水ポンプが上限にまで達した場合には、自動的に上昇が止るので、より確実な浮上油回収装置の運転の自動化が可能となる。
【図面の簡単な説明】
【００１８】
【図１】この発明の実施の形態に係る浮上油回収装置を排水槽に設置した状態を示す概略図である。
【図２】この発明の実施の形態に係る浮上油回収装置のスイッチのオン状態（ａ）とオフ状態（ｂ）を示す図である。
【図３】この発明の実施の形態に係る浮上油回収装置のスイッチのオン状態（ａ）とオフ状態（ｂ）を示す図である。
【図４】この発明の実施の形態に係る浮上油回収装置のスイッチのオン状態（ａ）とオフ状態（ｂ）を示す図である。
【図５】この発明の実施の形態に係る浮上油回収装置の上限位置確認手段の通常状態（ａ）と作動状態（ｂ）を示す図である。
【図６】この発明の実施の形態に係る浮上油回収装置の回路図である。
【発明を実施するための形態】
【００１９】
以下、この発明を図示の実施の形態に基づいて説明する。
【００２０】
図１は、浮上油回収装置１を排水槽Ｔに設置した状態を示す図である。浮上油回収装置１は、排水槽Ｔ内の浮上油Ｏを回収するものであり、主として、回収容器２と、排水ポンプ３と、排水ホース４と、昇降手段５を備えている。排水槽Ｔには、排水Ｗｉｎが流入し、排水Ｗとして貯水され、後述する排水ホース４を介して排水Ｗｏｕｔが排水槽Ｔ外に排出される。また、排水槽Ｔ外に排出された排水Ｗｏｕｔは、図示を略した回収手段により、回収される。また、この排水Ｗの水面上には、排水Ｗｉｎとともに流入した漏油である浮上油Ｏが浮上している。
【００２１】
回収容器２は、排水槽Ｔの一部を区切り、排水槽Ｔの水面（排水Ｗそのものの表面の他、排水Ｗ上の浮上油Ｏの表面も含む。以下同じ。）の変位に伴って上下動するものであり、回収容器２内の水面は、排水槽Ｔの排水Ｗそのものの水面と略同じ位置の他、排水Ｗ上の浮上油Ｏの位置も含む。以下同じ。）となっている。回収容器２は、上部が開口して、底面と側壁を有する桶状の容器であり、その外縁部（側壁の上縁部）が水面または水中に位置するようになっている。排水Ｗの水面上の浮上油Ｏは、回収容器２の外縁部を乗り越えて、排水Ｗとともに回収容器２内に流入する。
【００２２】
排水ポンプ３は、回収容器２内の水面の近傍に位置し、回収容器２の開口を介して、底部には水は漏油を吸入する吸込口３１が設けられ、さらに排水ポンプ３の吸込口３１側は、接合部３２によって回収容器２の底面と接続されている。すなわち、回収容器２と排水ポンプ３は、昇降手段５によって水面の変位に伴って上下動（昇降）し、排水ポンプ３は、回収容器２内の浮上油Ｏを回収する。そして、排水ポンプ３は、吸込口３１から排水Ｗを吸入して内部を通した後、側部に設けられた排出口３２から排出をする。そして、吸込口３１が水面に位置するように昇降手段５によってその位置が制御されている。また、排水ポンプ３には、その外装部に、後述するガイドポール５２に対してスライド自在な横ブレガイド３４、３５が配設されている。横ブレガイド３４、３５により、この排水ポンプ３は、ガイドポール５２に沿って上下動自在となっている。
【００２３】
排水ホース４は、排水ポンプ３の排出口３２に接続され、排水ポンプ３とともに上下動（昇降）するものであり、排水ポンプ３が回収容器２内から吸い込んだ排水Ｗを、排水槽Ｔ外へ排水Ｗｏｕｔとして排出する。
【００２４】
排水ホース４は、ビニールなどの可撓性材料で形成されており、排水ポンプ３の上下動とともに、変形自在である。
【００２５】
また、排水ホース４は、太さが僅かに異なる２本のホースが接合部４２で嵌合し、一本のホースを形成している。そして、接合部４２の重なり部分を調整することで、長さを調整することが可能な構成となっている。
【００２６】
昇降手段５は、水面の変位に伴って排水ポンプ３を上下動（昇降）するように制御するものである。昇降手段５は、主として、吊冶具５１と、ガイドポール５２と、電動ウインチ５３と、吊下ロープ５４と、制御装置５５と、フロートスイッチ（スイッチ）５６Ａ、５６Ｂ、５６Ｃ、近接スイッチ（上限位置確認手段）５６Ｄとを備えている。
【００２７】
吊冶具５１は、排水槽Ｔの上側に配設されており、排水槽Ｔの蓋部上に略水平に配設された基端部と、排水槽Ｔから上方に延びる垂直部５１Ａと、垂直部５１Ａの上端部から略水平に延びる水平部とを備えている。
【００２８】
ガイドポール５２は、吊冶具５１の水平部から排水槽Ｔの水面の下方まで略垂直に延びている円柱または角柱である。このガイドポール５２には、横ブレガイド３４、３５がスライド自在となっており、排水ポンプ３が、ガイドポール５２に沿ってスライド自在となっている。
【００２９】
電動ウインチ５３は、モータ駆動により排水ポンプ３と接続された後述する吊下ロープ５４の、送出と巻取とをするものであり、排水ポンプ３を上下動（昇降）させるものである。
【００３０】
吊下ロープ５４は、ワイヤーロープであり、一端が電動ウインチ５３に、もう一端が排水ポンプ３に接続されており、排水ポンプ３を、排水槽Ｔの底まで吊り下げることができる長さに設定されている。
【００３１】
吊下ロープ５４には、その途中に上限位置標示５４Ａが設置されている。上限位置標示５４Ａは、吊下ロープ５４が巻き上げられて、排水ポンプ３が上限位置（例えば排水槽Ｔの開口から回収容器２の外縁部が露出して、排水Ｗや浮上Ｏが、回収容器２内に流入できなくなるような位置）に達したときに、後述する近接スイッチ５６Ｄと略正対する位置に取り付けられている。そして、近接スイッチ５６Ｄから発信される赤外線信号を遮蔽するのに適した大きさや形状（例えば平板状）に設定されている。
【００３２】
制御装置５５は、電動ウインチ５３に対して送出や巻取の制御をするものであり、後述する各フロートスイッチ５６Ａ、５６Ｂ、５６Ｃのオン・オフの状態に基づいて、電動ウインチ５３の運転を制御することによって、排水ポンプ３の移動を制御する。
【００３３】
フロートスイッチ５６Ａ、５６Ｂ、５６Ｃは、主要部が浮から構成されており、浮が浮力により水面に浮く性質を利用して、回収容器２内や、排水槽Ｔ内の水面を検出し、制御装置５５を作動させるスイッチであり、それぞれ回動軸５７Ａ、５７Ｂ、５７Ｃにより、排水ポンプ３の外装部に、回動自在に接続されている。なお、フロートスイッチ５６Ｃは、浮の部分と回動軸５７Ｃは、シャフトを介して接続されている。
【００３４】
フロートスイッチ５６Ａは、回収容器２内の水面を検出するためのものあり、回動軸５７Ａにより、排水ポンプ３の外装に接続されている。フロートスイッチ５６Ａは、後述する様に、制御装置５５内の回路である制御回路５５１を操作する回路６に接続されている。すなわち、図２（ａ）のように、水面に浮いておらず、重力で下に垂れさがっている状態がオン状態であり、図２（ｂ）のように、水面に浮いて横を向いた、または一定の角度以上に傾いた状態がオフ状態である。
【００３５】
ここで、図２において、フロートスイッチ５６Ａと回動軸５７Ａ以外の構成は、図示を略した。以下、図３、図４についても同様である。
【００３６】
フロートスイッチ５６Ａは、排水ポンプ３の、下側に設置されており、回収容器２内の水面が一定の水位（「第１の水位」という。）以下となり、フロートスイッチ５６Ａが垂れ下がった場合に、フロートスイッチ５６Ａがオンになり、制御装置５５が電動ウインチ５３を制御して、吊下ロープ５４を送出させる。ここで、フロートスイッチ５６Ａがオン状態となった場合には、排水ポンプ３は下降する。また、水面が第１の水位以上となり、回収容器２の外縁部まで達して、フロートスイッチ５６Ａが水面に浮いて、オフ状態となった場合は、制御装置５５が、電動ウインチ５３の運転を停止させる。すなわち、フロートスイッチ５６Ａがオフ状態となった場合は、排水ポンプ３の上下動が停止する。フロートスイッチ５６Ａは、水面が回収容器２の外縁部より上に達したときに、オフ状態となる様に、取り付け位置や、オン状態とオフ状態が切り替わる角度が設定される。
【００３７】
フロートスイッチ５６Ｂは、排水槽Ｔ内の水面に対する、排水ポンプ３の位置を検出するためのものであり、フロートスイッチ５６Ａと同様に、制御装置５５の制御回路５５１を操作する回路６に接続されている。フロートスイッチ５６Ｂは、図３（ａ）のように、水面に浮いて、横に向いた、または一定の角度以上に傾いた状態がオン状態であり、図３（ｂ）のように、水面に浮いておらず、重力で下に垂れさがっている状態がオフ状態である。
【００３８】
フロートスイッチ５６Ｂは、排水ポンプ３の、中ほどに設置されており、排水槽Ｔの水面が一定の水位（「第２の水位」という。）以上となり、フロートスイッチ５６Ｂがオン状態となった場合に、フロートスイッチ５６Ｂがオンになり、制御装置５５が電動ウインチ５３を制御して、吊下ロープ５４を巻取らせる。すなわち、フロートスイッチ５６Ｂが水面に浮いて、オン状態となった場合は、排水ポンプ３は上昇する。また、水面が第２の水位以下となり、フロートスイッチ５６Ｂが垂れ下がってオフ状態となった場合は、制御装置５５が、電動ウインチ５３の運転を停止させる。すなわち、フロートスイッチ５６Ｂがオフ状態となった場合は、排水ポンプ３の上下動が停止する。フロートスイッチ５６Ｂは、水面上昇して、回収容器２が水没するくらいにまで達したときに、オン状態となる様に、取り付け位置や、オン状態とオフ状態が切り替わる角度が設定される。
【００３９】
フロートスイッチ５６Ｃは、排水槽Ｔ内の水面を検出するものであり、フロートスイッチ５６Ａ、５６Ｂと同様に、制御装置５５の制御回路５５１を操作する回路６に接続されている。また、フロートスイッチ５６Ｃは、排水ポンプ３の運転スイッチとも接続され、排水ポンプ３の運転と停止を切り替える。フロートスイッチ５６Ｃは、図４（ａ）のように、水面に浮いて、横を向いた、または一定の角度以上に傾いた状態がオン状態であり、図４（ｂ）のように、水面に浮いておらず、重力で下に垂れさがっている状態がオフ状態である。
【００４０】
フロートスイッチ５６Ｃは、排水槽Ｔの水位が底近くまで低下し、それに伴い回収容器２内の水位も低下してフロートスイッチ５６Ａがオフ状態となり、さらに排水ポンプ３が空運転をする水位（「第３の水位」という。）以下となり、フロートスイッチ５６Ｃがオフ状態となった場合に、排水ポンプ３の運転を停止する。さらに、制御装置５５が、電動ウインチ５３の運転を停止させる。すなわち、フロートスイッチ５６Ｃがオフ状態となった場合は、排水ポンプ３は運転を停止して、電動ウインチ５３の運転も停止する。フロートスイッチ５６Ｃは、フロートスイッチ５６Ａがオン状態となる水位以下でオフ状態となり、水面が回収容器２の外縁部より上に達した時に、オン状態となる様に、取り付け位置や、オン状態とオフ状態が切り替わる角度が設定される。
【００４１】
近接スイッチ５６Ｄは、反射検出型の近赤外線センサを備えたスイッチであり、吊冶具５１の水平部に、吊下滑車５３Ａと同程度の高さとなるように配設されている。近接スイッチは、フロートスイッチ５６Ａ、５６Ｂ、５６Ｃと同様に、制御装置５５の制御回路５５１を操作する回路６に接続されている。そして、通常の状態では、近赤外線を発信し、周囲の物体からの反射光を受信している。そして反射光量に変化が生じることで作動する。近接スイッチ５６Ｄが作動した場合は、近接スイッチ５６Ｄはオフ状態となり、制御装置５５が電動ウインチ５３の運転を停止させる。
【００４２】
ここで、近接スイッチＤが作動する反射光量の変化量は、吊下ロープ５４に配設された上限位置標示５４Ａが近接した場合に発生するように、設定される。
【００４３】
次に、フロートスイッチ５６Ａ等と、制御装置５５の制御回路５５１をつなぐ回路６について、図６に基づいて説明をする。
【００４４】
図６中の８８Ｌ（Ｒ）、３３Ｈ（Ｌ）等の、記号の意味を説明する。先ず、３３、８８の数字は、ＪＩＳで規定されているシーケンス番号であり、３３は物体の位置を検出する位置検出スイッチを、８８は電磁継電器を意味している。また、Ｒ、Ｌ、Ｈは同種の機器における識別符号である。さらに、同じ記号において、枠付きのものは、ソレノイドを、枠なしのものはリレー接点を意味している。すなわち、同じ記号同士では、枠付きと、枠なしの動作は連動しており、前者のオン・オフに連動して、後者もオン・オフが切替る。
【００４５】
「電動ウインチ上昇用」の８８Ｌには、フロートスイッチ５６Ａが、「電動ウインチ下降用」の８８Ｒには、フロートスイッチ５６Ｂが連動している。両者は三相交流において、位相を切り替えて電動ウインチ５３のモータ５３１の回転方向を切替る。また、「吊上げ上限」を検出する３３Ｈには、近接スイッチ５６Ｄが、「液面下限」を検出する３３Ｌには、フロートスイッチ５６Ｃが連動している。また、３３Ｌは、他にも排水ポンプ３のモータ３６と、電動ウインチ５３の上昇を制御もしている。
【００４６】
図６では、フロートスイッチ５６Ａ、５６Ｂがオフ状態であり、フロートスイッチ５６Ｃ、近接スイッチ５６Ｄはオン状態である。これと関連して、８８Ｌ、８８Ｒはオフ状態であり、３３Ｈ、３３Ｌはオン状態である。
【００４７】
ここで、フロートスイッチ５６Ａがオン状態になった場合、８８Ｌにより制御装置５５の制御回路５５１の８８Ｌがオン状態となる。これにより、電動ウインチ５３のモータ５３１が作動して、電動ウインチ５３が排水ポンプ３を上昇させる。
【００４８】
また、フロートスイッチ５６Ｂがオン状態になった場合、同様に８８Ｒにより制御装置５５の制御回路５５１の８８Ｒがオン状態となる。これにより、電動ウインチ５３のモータ５３１が作動して、電動ウインチ５３が排水ポンプ３を下降させる。
【００４９】
また、近接スイッチ５６Ｄがオフ状態になった場合、３３Ｈにより、制御装置５５の制御回路５５１の３３Ｈもオフ状態となる。これにより、電動ウインチ５３のモータ５３１が停止する。
【００５０】
また、フロートスイッチ５６Ｃがオフ状態となった場合、３３Ｌにより、排水ポンプ３のモータ３６の運転、電動ウインチ５３の上昇に関連する３３Ｌがオフ状態となる。これにより、排水ポンプ３のモータ３６と電動ウインチのモータ５３１が停止する。
【００５１】
次に、浮上油回収装置１の作用などについて説明する。
【００５２】
浮上油回収装置１を排水槽Ｔに設置すると、排水Ｗｉｎとともに流入した排水槽Ｔの水面の浮上油Ｏは、回収容器２の外縁部（上縁部）から回収容器２内に流入し、排水ポンプ３によって回収される。そして、排水ホース４によって、排水槽Ｔ外へ排水Ｗｏｕｔとして排出される。
【００５３】
回収容器２内の水位が第１の水位以上であり、排水槽Ｔの水位が第２の水位未満の場合には、フロートスイッチ５６Ａ、フロートスイッチ５６Ｂはオフ状態であり、電動ウインチ５３は停止しており、排水ポンプ３は一定の位置で運転をしている。
【００５４】
排水槽Ｔの水位が第２の水位以上となった場合には、フロートスイッチ５６Ｂがオン状態となり、制御装置５５を通じて、電動ウインチが吊下ロープ５４を巻き取り、フロートスイッチ５６Ｂがオフ状態となるまで、排水ポンプ３を上昇させる。
【００５５】
回収容器２内の水位が低下して、第１の水位未満となり、フロートスイッチ５６Ａがオン状態となった場合には、制御装置５５を通じて、電動ウインチが吊下ロープ５４を送出し、フロートスイッチ５６Ａがオフ状態となるまで、排水ポンプ３を下降させる。
【００５６】
回収容器２内の水位が第１の水位未満であり、さらに排水槽Ｔ内の水位が低下して、第３の水位未満となった場合には、フロートスイッチ５６Ｃがオフ状態となり、排水ポンプ３は運転を停止して、電動ウインチ５３の運転も停止する。
【００５７】
また、排水ポンプ３の位置が上昇して、上限位置標示５４Ａが近接スイッチ５６Ｄに近接した場合には、制御装置５５を通じて、電動ウインチ５３が停止する。
【００５８】
このように、この浮上油回収装置１によれば、排水Ｗとともに流入した排水槽Ｔの水面の浮上油Ｏは、回収容器２の外縁部から回収容器２内に流入し、排水ポンプ３によって回収されて、排水ホース４によって、排水槽Ｔ外へ排水Ｗｏｕｔとして排出されるので、大きな浮を必要とせずに、狭い場所であっても設置することができる。
【００５９】
また、排水槽Ｔの水深が浅い場所であっても、排水槽Ｔの水面の浮上油Ｏを回収することができる。このとき、発電所の運転を継続した状態であっても、浮上油Ｏを回収することができる。
【００６０】
さらに、従来のように、ベルト式回収装置を使用したり、表面に浮遊する浮上油Ｏを排水ポンプ３などによって手動で吸い上げたりする必要がないので、装置を小型化、低コスト化することができるとともに、メンテナンスが容易となる。
【００６１】
また、フロートスイッチ５６Ａ、５６Ｂ、５６Ｃは、排水槽Ｔの水位の変化に応じてオン・オフが切り替わり、それにより排水ポンプ３の位置や運転が制御されるので、浮上油回収装置１の運転の自動化が可能となる。
【００６２】
また、排水槽Ｔ内の水位が大きく上昇して、排水ポンプ３が上限にまで達した場合には、自動的に上昇が止るので、より確実な浮上油回収装置１の運転の自動化が可能となる。
【００６３】
以上、この発明の実施の形態について説明したが、具体的な構成は、上記の実施の形態に限られるものではなく、この発明の要旨を逸脱しない範囲の設計の変更等があっても、この発明に含まれる。例えば、制御装置５５を作動させるためのスイッチは、フロートスイッチ５６Ａ等に限られず、例えば水位センサを用いてもよい。水位センサが検知した水位に応じて、オン状態とオフ状態を切り替えることで、より精度よくスイッチの切り替えができる。
【符号の説明】
【００６４】
１                        浮上油回収装置
２                        回収容器
３                        排水ポンプ
４                        排水ホース
５                        昇降手段
５５                    制御装置
５６Ａ、５６Ｂ、５６Ｃ  フロートスイッチ（スイッチ）
５６Ｄ                  近接スイッチ（上限位置確認手段）
Ｔ                        排水槽
Ｗ                        排水
Ｏ                        浮上油
【図１】
2016128153.tif 000003
【図２】
2016128153.tif 000004
【図３】
2016128153.tif 000005
【図４】
2016128153.tif 000006
【図５】
2016128153.tif 000007
【図６】
2016128153.tif 000008